(57)【特許請求の範囲】
【請求項１】
通話信号を送信自在な加入者通信端末を収容して前記加入者通信端末からの前記通話信号を多重フォーマット化してこれを時分割多重する遠隔加入者収容部と、
当該時分割多重化された通話信号を前記遠隔加入者収容部における前記加入者通信端末の収容位置に応じて少なくとも２つの方路のいずれかに振り分ける加入者振分部と、
前記方路を介して到来した通話信号を呼制御処理した後に時分割多重通話路を介して送信する交換機と、を含む通話信号伝送システムであって、
前記遠隔加入者収容部は、前記通信信号の前記多重フォーマットを前記加入者通信端末の収容位置に応じた方路フォーマットに変換する第１変換部を含み、
前記交換機は、自身の呼制御処理に先立って前記方路フォーマットの通話信号を前記多重フォーマットの通話信号に変換する第２変換部を含むことを特徴とする通話信号伝送システム。
【請求項２】
前記加入者振分部は、前記方路フォーマットに応じて前記通信信号を振り分けることを特徴とする請求項１に記載の通話信号伝送システム。
【請求項３】
前記方路フォーマットは、６．３Ｍインターフェースフォーマットであり、
前記６．３Ｍインターフェースフォーマットを構成する４つの通話データ用タイムスロットのうちの少なくとも１つに通話データを含むことを特徴とする請求項１又は２に記載の通話信号伝送システム。
【請求項４】
前記通話データ用タイムスロットのうちの少なくとも１つに呼制御データ及び保守データの少なくともいずれかを含むことを特徴とする請求項３に記載の通話信号伝送システム。
【発明の詳細な説明】
【技術分野】
【０００１】
本発明は、加入者通信端末からの通話信号を交換機を介して伝送する通話信号伝送システムに関する。
【背景技術】
【０００２】
従来より、通話信号伝送システムにおいては、加入者端末からの通話信号を多重化して振り分ける加入者振分装置を含んでいた。かかる加入者振分装置を介して局舎内の交換機に収容される加入者端末には以下のようなものがあった。例えば、（１）直収一次群加入者端末、（２）遠隔一次群加入者端末、（３）Ａ／Ｉ−ＲＴ（Remote Terminal：遠隔加入者終端装置）収容のアナログ／ＩＳＤＮ加入者端末、（４）ＲＳＢＭ（Remote Subscriber Module：遠隔加入者収容装置）収容の専用線加入者端末、（５）ＲＳＢＭ収容のアナログ／ＩＳＤＮ加入者端末である（例えば特開平４−７９４６３号公報参照）。
【０００３】
近年、上記した（２）の加入者端末の接続先である１．５Ｍ−ＲＴ装置及び１．５Ｍ−ＣＴ装置（Central Terminal：交換機側終端装置）や、（３）の加入者端末の接続先であるＡ／Ｉ−ＲＴ装置の老朽化等に伴い、ＲＳＢＭへの収容替えの機運が高まっている。
【先行技術文献】
【特許文献】
【０００４】
【特許文献１】特開平４−７９４６３号公報
【発明の概要】
【発明が解決しようとする課題】
【０００５】
しかしながら、現状、上記した（２）の加入者端末をＲＳＢＭに収容するためには、加入者振分装置等のソフトウェアを変更する等の新規開発が必要であり、収容替えに伴う開発コストがかかってしまうという問題点があった。
【０００６】
本発明は上記した如き問題点に鑑みてなされたものであって、加入者振分装置に変更を加えることなく、遠隔一次群加入者端末をＲＳＢＭに収容するなど加入者端末の収容形態を変更することができる通話信号伝送システムを提供することを目的とする。
【課題を解決するための手段】
【０００７】
本発明による通話信号伝送システムは、通話信号を送信自在な加入者通信端末を収容して前記加入者通信端末からの前記通話信号を多重フォーマット化してこれを時分割多重する遠隔加入者収容部と、当該時分割多重化された通話信号を前記遠隔加入者収容部における前記加入者通信端末の収容位置に応じて少なくとも２つの方路のいずれかに振り分ける加入者振分部と、前記方路を介して到来した通話信号を呼制御処理した後に時分割多重通話路を介して送信する交換機と、を含む通話信号伝送システムであって、前記遠隔加入者収容部は、前記通信信号の前記多重フォーマットを前記加入者通信端末の収容位置に応じた方路フォーマットに変換する第１変換部を含み、前記交換機は、自身の呼制御処理に先立って前記方路フォーマットの通話信号を前記多重フォーマットの通話信号に変換する第２変換部を含むことを特徴とする。
【発明の効果】
【０００８】
本発明による通話信号伝送システムによれば、加入者振分装置に変更を加えることなく、遠隔一次群加入者端末をＲＳＢＭに収容することができる。
【図面の簡単な説明】
【０００９】
【図１】本発明の実施例である通話信号伝送システムの構成を示すブロック図である。
【図２】一次群加入者通話信号の多重化のための多重フォーマットにおけるタイムスロット構成を示す説明図である。
【図３】図１の６．３Ｍ専用線インターフェース部によって構成される通信フォーマットにおけるタイムスロット構成を示す説明図である。
【図４】図１の変換部によって構成される方路フォーマットにおけるタイムスロット構成を示す説明図である。
【図５】図１の通話信号伝送システムにおける通信処理フローを示すフローチャートである。
【発明を実施するための形態】
【００１０】
以下、本発明に係る実施例について添付の図面を参照しつつ詳細に説明する。
【００１１】
図１においては、本発明の実施例である通話信号伝送システム１を示している。
【００１２】
直収一次群加入者端末１１、遠隔一次群加入者端末１２、アナログ／ＩＳＤＮ加入者端末１３、専用線加入者端末１４、及びアナログ／ＩＳＤＮ加入者端末１５の各々は、通話信号の送受信機能を有する例えば電話端末やモデムなどの通信端末である。
【００１３】
直収一次群加入者端末１１は、交換機５０に直接収容されている。遠隔一次群加入者端末１２及びアナログ／ＩＳＤＮ加入者端末１３は、ＲＳＢＭ２０に収容されている。専用線加入者端末１４及びアナログ／ＩＳＤＮ加入者端末１５は、ＲＳＢＭ３０に収容されている。
【００１４】
ＲＳＢＭ２０は、遠隔一次群加入者端末１２及びアナログ／ＩＳＤＮ加入者端末１３を収容する遠隔加入者収容装置であり、これらの端末から到来した通話信号を多重フォーマット化してこれを時分割多重し、加入者振分装置４０に送信する。
【００１５】
一次群インターフェース部２１は、遠隔一次群加入者端末１２から到来した通話信号を、時分割多重のために多重フォーマット化して変換部２２に供給する。通話信号に含まれる通話データは、当該多重フォーマットのタイムスロットに割り当てられる。
【００１６】
変換部２２は、一次群インターフェース部２１から供給される通話信号の多重フォーマットを所定の通信フォーマット（以下、方路フォーマットとも称する）に変換する。方路フォーマットは、加入者振分装置４０による振分け先の方路に対応した所定の通信フォーマットであり、例えば通信速度６．３Ｍｂｐｓ専用線の通信フォーマットである。この場合、通話データは通信速度６．３Ｍｂｐｓ専用線の通信フォーマットのタイムスロットに割り当てられる。
【００１７】
加入者インターフェース部２３は、アナログ／ＩＳＤＮ加入者端末１３から到来した通話信号に含まれる通話データを、アナログ／ＩＳＤＮ通信用の通信フォーマットのタイムスロットに割り当てて多重部２４に供給する。
【００１８】
多重部２４は、変換部２２から供給される通話信号と、加入者インターフェース部２３から供給される通話信号とを多重化して加入者振分装置４０に供給する。これらの通話信号に含まれる通話データは、加入者端末毎に予め設定された所定のタイムスロットに格納される。
【００１９】
ＲＳＢＭ３０は、専用線加入者端末１４及びアナログ／ＩＳＤＮ加入者端末１５を収容する遠隔加入者収容装置あり、これらの端末から到来した通話信号を多重フォーマット化してこれを時分割多重し、加入者振分装置４０に送信する。
【００２０】
６．３Ｍ専用線インターフェース部３１は、専用線加入者端末１４から到来した通話信号に含まれる通話データを、通信速度６．３Ｍｂｐｓ専用線の通信フォーマットのタイムスロットに割り当てて多重部３３に供給する。
【００２１】
加入者インターフェース部３２は、アナログ／ＩＳＤＮ加入者端末１５から到来した通話信号に含まれる通話データを、アナログ／ＩＳＤＮ通信用の通信フォーマットのタイムスロットに割り当てて多重部３３に供給する。
【００２２】
多重部３３は、変換部３２から供給される通話信号と、加入者インターフェース部３２から供給される通話信号とを多重化して加入者振分装置４０に供給する。これらの通話信号に含まれる通話データは、加入者端末毎に予め設定された所定のタイムスロットに格納される。
【００２３】
加入者振分装置４０は、多重部２４及び多重部３３から到来した通話信号を、例えば加入者端末毎に方路Ａ又は方路Ｂに振り分ける。加入者振分装置４０は、ＲＳＢＭ２０及び３０における加入者通信端末１２〜１５の収容位置に応じて、通話信号の各々をいずれかの方路に振り分ける。当該収容位置は、例えば、時分割多重フォーマットにおけるタイムスロットの位置に基づいて判断される。方路Ａは、アナログ／ＩＳＤＮ通信用の通信フォーマットに対応している。なお、アナログの通信速度は６４Ｋｂｐｓであり、ＩＳＤＮの通信速度は１２８Ｋｂｐｓである。方路Ｂは、通信速度６．３Ｍｂｐｓ専用線の通信フォーマットに対応している。
【００２４】
遠隔一次群加入者端末１２からの通話信号は、方路Ｂに振り分けられる。アナログ／ＩＳＤＮ加入者端末１３からの通話信号は、方路Ａに振り分けられる。専用線加入者端末１４からの通話信号は、方路Ｂに振り分けられる。アナログ／ＩＳＤＮ加入者端末１５からの通話信号は、方路Ａに振り分けられる。加入者振分装置４０は、通話信号の振り分け先を、多重信号の通信フォーマットにおけるタイムスロットの位置に基づいて決定する。
【００２５】
方路Ａに振り分けられた通話信号は、交換機５０の加入者振分装置インターフェース部５３に供給される。方路Ｂに振り分けられた通話信号のうちの遠隔一次群加入者端末１２からのものは、交換機５０の変換部５２に供給される。方路Ｂに振り分けられた通話信号のうちの専用線加入者端末１４からのものは、専用線伝送装置６０に供給される。加入者振分装置４０は、方路Ｂに振り分けられた通話信号の供給先を、例えば方路フォーマットにおけるタイムスロットの位置に基づいて決定する。
【００２６】
交換機５０は、直収一次群加入者端末１１及び加入者振分装置４０から到来した通話信号を呼制御処理した後に時分割多重通話路を介して送信する。
【００２７】
一次群インターフェース部５１は、直収一次群加入者端末１１から到来した通話信号を呼制御処理した後に、当該通話信号に含まれる通話データを時分割多重フォーマットにおける所定のタイムスロットに割り当てて時分割通話路５４に供給する。
【００２８】
変換部５２は、加入者振分装置４０の方路Ｂから到来した、遠隔一次群加入者端末１２からの通話信号を呼制御処理した後に、多重フォーマットの通話信号に変換して時分割通話路５４に供給する。当該多重フォーマットは、一次群インターフェース部２１によって多重フォーマット化されたフォーマットと同一のものである。すなわち、変換部５２は、方路フォーマットの通話信号を元の多重フォーマットの通話信号に戻すのである。通話信号に含まれる通話データは、多重フォーマットにおける所定のタイムスロットに割り当てられる。
【００２９】
加入者振分装置インターフェース部５３は、加入者振分装置４０の方路Ａから到来した通話信号を呼制御処理した後に、当該通話信号に含まれる通話データを時分割多重フォーマットにおける所定のタイムスロットに割り当てて時分割通話路５４に供給する。
【００３０】
一次群インターフェース部５１、変換部５２、及び加入者振分装置インターフェース部５３の各々によって時分割多重フォーマットにおける所定のタイムスロットに割り当てられた通話データは、時分割通話路５４を介して送信される。
【００３１】
専用線伝送装置６０は、加入者振分装置４０の方路Ｂから到来した、専用線加入者端末１４からの通話信号を送信先に送信する。
【００３２】
図２は、一次群加入者通話信号の通信フォーマットにおける単位タイムスロット構成８０を示している。
【００３３】
タイムスロット群８１は、２４個のタイムスロットからなる。２４個のタイムスロットｔｓの各々に情報チャネルデータが割り当てられる場合と、２３個のタイムスロットｔｓの各々に情報チャネルデータが割り当てられ且つ１個のタイムスロットｔｓに信号チャネルデータが割り当てられる場合とがある。図２においては、情報チャネルデータは記号Ｂで示され、信号チャネルデータは記号Ｄで示される。
【００３４】
タイムスロット８２は、１個のタイムスロットｔｓからなる。タイムスロット８２には、呼制御チャネルデータが割り当てられる。図２においては、呼制御チャネルデータは記号ＳＴで示される。タイムスロット８２は、ｍ個（ｍは８以下の正の整数）の８ビットフレームからなるマルチフレーム構成８４となっている。
【００３５】
保守データ８３は、一次群インターフェース部２１に関する障害、警報及び保守のためのデータである。図２においては、保守データ８３は、記号Ｍで示される。
【００３６】
図３は、６．３Ｍ専用線インターフェース部３１によって構成される通信フォーマットにおける単位タイムスロット構成９０を示している。当該通信フォーマットは、通信速度６．３Ｍｂｐｓ専用線の通信フォーマットである。
【００３７】
タイムスロット群９１、９２、９３及び９４の各々は、通信速度１．５Ｍｂｐｓパスのタイムスロット群である。なお、このパスとは、伝送路網の論理的構成を表現する単位をいう。タイムスロット群９１、９２、９３及び９４の各々は、２４個のタイムスロットｔｓからなる。タイムスロット群９１にはチャネル＃０、タイムスロット群９２にはチャネル＃１、タイムスロット群９３にはチャネル＃２、タイムスロット群９４にはチャネル＃３にそれぞれ対応した情報チャネルデータが割り当てられる。専用線加入者端末１４がチャネル＃０に対応する場合、タイムスロット群９１には、専用線加入者端末１４からの情報チャネルデータが割り当てられる。タイムスロット群９２、９３及び９４の各々には、例えば図示せぬ専用線加入者端末からの情報チャネルデータが割り当てられる。
【００３８】
タイムスロット９５及び９６の各々は、１個のタイムスロットｔｓからなる。タイムスロット９５には、チャネル＃０及び＃１の呼制御チャネルデータが割り当てられる。タイムスロット９６には、チャネル＃２及び＃３の呼制御チャネルデータが割り当てられる。図３においても、呼制御チャネルデータは記号ＳＴで示される。タイムスロット９５は、チャネル＃０及び＃１の呼制御情報を各々が含む８個の８ビットフレームからなるマルチフレーム構成９８ａとなっている。タイムスロット９６は、チャネル＃２及び＃３の呼制御情報を各々が含む８個の８ビットフレームからなるマルチフレーム構成９８ｂとなっている。
【００３９】
フレームＦは、４個の５ビットフレームからなるマルチフレーム構成９９となっている。フレームＦには、セクション切替ビットＡ、ＣＲＣ−５データＣ、データビットＤ、及び送信異常表示データＳが含まれる。
【００４０】
図４は、変換部２２によって構成される通信フォーマットにおける単位タイムスロット構成１００を示している。当該通信フォーマットは、通信速度６．３Ｍｂｐｓ専用線の通信フォーマットをベースとし、そのタイムスロット群に対して一次群加入者通話データを割り当てたものである。
【００４１】
タイムスロット群１０１、１０２、１０３及び１０４の各々は、通信速度１．５Ｍｂｐｓパスのタイムスロット群である。タイムスロット群１０１、１０２、１０３及び１０４の各々は、２４個のタイムスロットｔｓからなる。タイムスロット群１０１にはチャネル＃０、タイムスロット群１０２にはチャネル＃１、タイムスロット群１０３にはチャネル＃２にそれぞれ対応した情報チャネルデータが割り当てられる。遠隔一次群加入者端末１２がチャネル＃０に対応する場合、タイムスロット群１０１には、遠隔一次群加入者端末１２からの情報チャネルデータが割り当てられる。タイムスロット群１０２及び１０３には、例えば図示せぬ専用線加入者端末からの情報チャネルデータが割り当てられる。
【００４２】
タイムスロット群１０４には、タイムスロット１０８、タイムスロット１０９、タイムスロット１１０、一次群インターフェース部２１に関する保守データ１１１、ＲＳＢＭ２０に関する保守データ１１２、及び未使用の空き領域１１３が含まれる。
【００４３】
タイムスロット１０８〜１１０の各々は、１つのタイムスロットｔｓからなる。タイムスロット１０８にはチャネル＃０の呼制御チャネルデータ、タイムスロット１０９にはチャネル＃１の呼制御チャネルデータ、タイムスロット１１０にはチャネル＃２の呼制御チャネルデータがそれぞれ割り当てられる。図４においても、呼制御チャネルデータは記号ＳＴで示される。タイムスロット１０８は、チャネル＃０の呼制御情報を各々が含む６個の８ビットフレームからなるマルチフレーム構成１１４ａとなっている。タイムスロット１０９は、チャネル＃１の呼制御情報を各々が含む６個の８ビットフレームからなるマルチフレーム構成１１４ｂとなっている。タイムスロット１１０は、チャネル＃２の呼制御情報を各々が含む６個の８ビットフレームからなるマルチフレーム構成１１４ｃとなっている。
【００４４】
タイムスロット１０５及び１０６は未使用である。フレーム１０７は、図３におけるものと同様の構成である。
【００４５】
以下、図５を参照しつつ、通話信号伝送システム１における通信処理手順について説明する。特に、遠隔一次群加入者端末１２の通話信号の処理に着目して説明する。
【００４６】
先ず、ＲＳＢＭ２０の一次群インターフェース部２１が、遠隔一次群加入者端末１２からの通話信号を受信する（ステップＳ１）。一次群インターフェース部２１は、当該通話信号を一次群加入者通話信号用の通信フォーマットのタイムスロットに割り当てて変換部２２に供給する（ステップＳ２）。かかる処理により、図２に示されるタイムスロット構成となる。
【００４７】
次に、変換部２２は、一次群インターフェース部２１から供給される通話信号の多重フォーマットを、加入者振分装置４０による振分け先の方路に対応する方路フォーマット（例えば通信速度６．３Ｍｂｐｓ専用線の通信フォーマット）に変換して多重部２４に供給する（ステップＳ３）。かかる処理により、図４に示されるタイムスロット構成となる。
【００４８】
次に、多重部２４は、変換部２２から供給される通話データと、加入者インターフェース部２３から供給される通話データとを、例えば加入者端末毎に予め設定された所定のタイムスロットに格納することにより多重化して加入者振分装置４０に供給する（ステップＳ４）。
【００４９】
次に、加入者振分装置４０は、多重部２４及び多重部３３から到来した通話信号を、ＲＳＢＭ２０及び３０における加入者通信端末１２〜１５の収容位置に応じて、加入者端末毎に方路Ａ又は方路Ｂに振分ける（ステップＳ５）。遠隔一次群加入者端末１２からの通話信号は、方路Ｂに振り分けられる。また、方路Ｂに振り分けられた当該通話信号は、交換機５０の変換部５２に供給される。
【００５０】
次に、変換部５２は、加入者振分装置４０の方路Ｂから到来した、遠隔一次群加入者端末１２からの通話信号を、時分割多重のための多重フォーマットに変換して時分割通話路５４に供給する（ステップＳ６）。すなわち、変換部５２は、方路フォーマットの通話信号を元の多重フォーマットの通話信号に戻す。かかる処理により、図２に示されるタイムスロット構成となる。
【００５１】
時分割通話路５４は、一次群インターフェース部５１、変換部５２、及び加入者振分装置インターフェース部５３の各々から供給された通話データを所定のタイムスロットに割り当てることにより時分割多重して送信先に送信する（ステップＳ７）。
【００５２】
上記したように、本実施例の通話信号伝送システム１においては、通信速度１．５Ｍｂｐｓの遠隔一次群加入者端末１２をＲＳＢＭ２０に収容する。ＲＳＢＭ２０は、遠隔一次群加入者端末１２から到来した通話信号を時分割多重のために多重フォーマット化して変換部２２に供給する一次群インターフェース部２１を含む。また、ＲＳＢＭ２０は、一次群インターフェース部２１から供給される通話信号の多重フォーマットを方路フォーマットすなわち加入者振分装置４０による振分け先の方路（例えば通信速度６．３Ｍｂｐｓ専用線に対応する方路Ｂ）に対応した所定の通信フォーマットに変換する変換部２２を含む。
【００５３】
ＲＳＢＭ２０が、かかる構成を含むことにより、加入者振分装置４０は、ＲＳＢＭ２０から到来した通話データが遠隔一次群加入者端末１２からの一次群加入者データであるにもかかわらず、通信速度６．３Ｍｂｐｓ専用線に対応する方路Ｂを用いて交換機５０へ伝送することができる。また、交換機５０の変換部５２が、方路Ｂから到来した通話データを時分割多重のための多重フォーマットに変換するので、当該通話データを時分割通話路５４を介して送信することができる。
【００５４】
仮に、従来のＲＳＢＭにより、アナログ／ＩＳＤＮ通信用の通信フォーマットに対応する方路Ａを用いて、遠隔一次群加入者端末１２からの一次群加入者データを送信しようとしても、アナログ／ＩＳＤＮの通信速度が６４ｋｂｐｓ／１２８ｋｂｐｓであるのに対し、一次群加入者の通信速度が１．５Ｍｂｐｓであるので、一次群加入者データを送信できない。
【００５５】
また、仮に、従来の通信システムにおいて、複数のアナログ／ＩＳＤＮ回線を用いて通信速度１．５Ｍｂｐｓを確保しようとする場合には、加入者振分装置４０のソフトウェアを変更する必要が生じる。ソフトウェアを変更しない場合には、交換機５０の加入者振分装置インターフェース部５３には通話データを供給できるが、時分割通話路５４を介して送信することはできない。時分割通話路５４には、一次群インターフェース部５１からの通話データも多重化されるからである。
【００５６】
これに対して、通信速度６．３Ｍｂｐｓ専用線の通信フォーマットに対応する方路Ｂを用いる場合には、通信速度１．５Ｍｂｐｓ単位での通話データの管理が可能である。そこで、本実施例である通話信号伝送システム１の構成としたのである。かかる構成によれば、加入者振分装置に変更を加えることなく、遠隔一次群加入者端末をＲＳＢＭに収容することができる。
【００５７】
また、本実施例においては、図４に示すように、呼制御チャネルデータ及び保守データを通信速度１．５Ｍｂｐｓパスのタイムスロットに割り当てている。仮に、本実施例とは異なり、呼制御チャネルデータを、通信速度６．３Ｍｂｐｓ専用線の通信フォーマットにおけるタイムスロット９５及び９６（図３）に割り振った場合には以下のような問題が生じる。一次群加入者の呼制御チャネルデータのビット数は、８ビット×ｍマルチフレーム（ｍの最大値は７）＝５６ビット（最大値）であるのに対して、通信速度６．３Ｍｂｓｐの呼制御チャネルデータのビット数は、４ビット×８マルチフレーム＝３２ビットとなる。このように、一次群加入者の方のビット数が大きくなるので、呼制御チャネルデータを交換機５０にまで送信できない。
【００５８】
これに対して、本実施例においては、図４に示すように、呼制御チャネルデータを通信速度１．５Ｍｂｐｓパスのタイムスロットに割り当てているので、呼制御チャネルデータを交換機５０にまで送信できるという効果も奏する。
【００５９】
以上の実施例から明らかなように、加入者端末からの通話信号を多重フォーマット化して呼制御処理をした後に時分割多重伝送する交換機を含む通話信号伝送システムであって、加入者端末の収容位置に応じて通話信号を互いに異なる方路を介して交換機に供給することとし、方路振り分けの前において当該多重フォーマットの通話信号を当該方路に対応した方路フォーマットの通信信号に変換し、方路振り分け後に元の多重フォーマットの通信信号に戻すこととした。これにより、加入者端末の収容形態の変更が容易になる。
【符号の説明】
【００６０】
１  通話信号伝送システム
１１  直収一次群加入者端末
１２  遠隔一次群加入者端末
１３  アナログ／ＩＳＤＮ加入者端末
１４  専用線加入者端末
１５  アナログ／ＩＳＤＮ加入者端末
２０  ＲＳＢＭ
２１  一次群インターフェース部
２２  変換部
２３  加入者インターフェース部
２４  多重部
３０  ＲＳＢＭ
３１  一次群インターフェース部
３２  加入者インターフェース部
３３  多重部
４０  加入者振分装置
５０  交換機
５１  一次群インターフェース部
５２  変換部
５３  加入者振分装置インターフェース部
５４  時分割通話路
６０  専用線伝送装置
【図１】
0005533749.tif 000002
【図２】
0005533749.tif 000003
【図３】
0005533749.tif 000004
【図４】
0005533749.tif 000005
【図５】
0005533749.tif 000006